(57)【要約】ディスプレイ装置（３０１）は、温度補償データに対するメモリ（３１４）の必要性を低減する。様々な温度に対するスケーリング係数（４３３）及び任意のディスプレイ温度に対してグレースケールを駆動するよう最適化された波形の参照テーブルは、メモリ（３１４）に記憶されている。ディスプレイ（３０１）の特定の温度に対する波形は、参照テーブル及びスケーリング係数（４３３）から導き出される。幾つかの温度では、波形のある部分のみが変えられる必要があり、これらの部分しか、参照テーブルからの正確な調整を必要としない。
2007506133.tif 000002
【特許請求の範囲】
【請求項１】
流体中で荷電粒子を有する電気泳動物質を有する表示素子；
該表示素子に結合された第１の電極及び第２の電極；
前記表示素子へ電位差の列を供給するよう配置された駆動手段；
当該ディスプレイの基準温度において当該ディスプレイへの画像情報の伝送に対して決定される電位差の少なくとも１つの参照列を表すデータを受け取る第１のメモリ；
当該ディスプレイの少なくとも１つの温度を表すスケーリング係数を受け取って記憶する第２のメモリ；及び
制御部；
を有し、
該制御部は、当該ディスプレイの前記少なくとも１つの温度を表す温度読み込みを受け取り、前記第２のメモリから前記スケーリング係数を読み出し、前記第１のメモリから前記少なくとも１つの参照列を読み出し、前記温度読み込みに対して電位差の調整された列を決定するよう前記少なくとも１つの参照列へ前記スケーリング係数を適用するように、構成され、
前記電位差の調整された列は、前記表示素子の光学状態の所望の変化に対して前記第１の電極及び前記第２の電極へ印加されることが可能である、
ことを特徴とするディスプレイ。
【請求項２】
前記第１のメモリ及び前記第２のメモリは、同じである、ことを特徴とする請求項１記載のディスプレイ。
【請求項３】
前記スケーリング係数は、前記調整された列を決定するよう、前記少なくとも１つの参照列の一部へ適用される、ことを特徴とする請求項１記載のディスプレイ。
【請求項４】
前記少なくとも１つの参照列の一部は、振動パルス、リセットパルス又は駆動パルスである、ことを特徴とする請求項３記載のディスプレイ。
【請求項５】
前記第１のメモリは、複数の参照列を表すデータを記憶し、
夫々の前記参照列は、当該ディスプレイの対応する基準温度において、当該ディスプレイへの画像情報の伝送に対して決定される、
ことを特徴とする請求項１記載のディスプレイ。
【請求項６】
前記第１のメモリ及び前記第２のメモリは、前記制御部内にある、ことを特徴とする請求項１記載のディスプレイ。
【請求項７】
前記電位差の調整された列は、１つ又はそれ以上のリセットパルス及び１つの駆動パルスを有する、ことを特徴とする請求項１記載のディスプレイ。
【請求項８】
前記電位差の調整された列は、前記１つ又はそれ以上のリセットパルスのうちの１つの前に、少なくとも１つの振動パルスを更に有する、ことを特徴とする請求項７記載のディスプレイ。
【請求項９】
前記電位差の調整された列は、前記駆動パルスの前に、少なくとも１つの振動パルスを更に有する、ことを特徴とする請求項８記載のディスプレイ。
【請求項１０】
前記１つ又はそれ以上のリセットパルスのうちの１つは、オーバーリセットパルスを有する、ことを特徴とする請求項７記載のディスプレイ。
【請求項１１】
制御部、メモリ、温度センサ及び表示素子を有し、
該表示素子は、１つ又はそれ以上の電位差の複数の列のうちの幾つかの利用により、第１の光学状態から第２の光学状態へ変化することが可能であり、
前記温度センサは、前記表示素子の温度を示す測定温度を検知し、
参照テーブルは、前記メモリに記憶され、
前記参照テーブルは、１つ又はそれ以上の基準温度において利用可能な前記複数の列のうちの１つ又はそれ以上を表すデータを有し、
スケーリング係数のテーブルは、前記メモリに記憶され、夫々のスケーリング係数は、前記電位差の複数の列のうちの少なくとも１つの全て又は一部の継続期間と、前記表示素子の少なくとも１つの測定可能な温度とを表し、
前記制御部は、前記第１の光学状態から前記第２の光学状態への前記表示素子の変化をもたらすことが可能な電位差の列を決定するよう、前記測定温度を受け取り、前記スケーリング係数のテーブルから前記測定温度を表す測定可能な温度を表すスケーリング係数を読み出し、前記１つ又はそれ以上の基準温度のうちの１つで利用可能な前記複数の列のうちの１つを表すデータへ前記スケーリング係数を適用する、
ことを特徴とする装置。
【請求項１２】
前記メモリは、前記制御部内にある、ことを特徴とする請求項１１記載の装置。
【請求項１３】
前記メモリは、外付けのデータ記憶装置を有する、ことを特徴とする請求項１１記載の装置。
【請求項１４】
前記第１の光学状態から前記第２の光学状態への前記表示素子の変化をもたらすことが可能な前記電位差の列は、１つ又はそれ以上のリセットパルス及び１つの駆動パルスを有する、ことを特徴とする請求項１１記載の装置。
【請求項１５】
前記電位差の列は、前記１つ又はそれ以上のリセットパルスの前に、少なくとも１つの振動パルスを更に有する、ことを特徴とする請求項１４記載の装置。
【請求項１６】
前記電位差の列は、前記駆動パルスの前に、少なくとも１つの振動パルスを更に有する、ことを特徴とする請求項１５記載の装置。
【請求項１７】
前記１つ又はそれ以上のリセットパルスのうちの１つは、オーバーリセットパルスを有する、ことを特徴とする請求項１４記載の装置。
【請求項１８】
複数の行及び列で配置された表示素子を有するディスプレイ上に情報を表示するコンピュータプログラムであって：
コンピュータに、１つ又はそれ以上の電位差の列の利用により、第１の光学状態から第２の光学状態へ前記表示素子のうちの１つ又はそれ以上を変化させ、
前記列は、前記コンピュータのメモリに記憶された参照列を調整することによって決定され、
前記調整は、前記ディスプレイの温度を示す測定温度に従う、
ように構成されたコンピュータコードデバイスを有するコンピュータプログラム。
【請求項１９】
ディスプレイの表示素子に情報を表示する方法であって：
基準温度において前記表示素子を所望の光学状態へ至らせることが必要な波形を表すデータを有する参照テーブルを記憶するステップ；
１つ又はそれ以上の測定温度において必要な前記波形の変化を表すスケーリング係数の値を記憶するステップ；
前記ディスプレイの温度を表す温度測定値を得るステップ；
前記温度測定値を表す前記測定温度のうちの少なくとも１つを表す前記スケーリング係数の値を読み出すステップ；
所望の波形を作るよう前記波形へ前記スケーリング係数の値を適用するステップ；及び
前記表示素子を前記所望の光学状態へ至らせるよう前記所望の波形により前記表示素子をアドレス指定するステップ；
を有する方法。
【請求項２０】
前記所望の波形は、１つ又はそれ以上のリセットパルス及び１つの駆動パルスを有する、ことを特徴とする請求項１９記載の方法。
【請求項２１】
前記所望の波形は、前記１つ又はそれ以上のリセットパルスのうちの１つの前に、少なくとも１つの振動パルスを更に有する、こと特徴とする請求項２０記載の方法。
【請求項２２】
前記所望の波形は、前記駆動パルスの前に、少なくとも１つの振動パルスを更に有する、ことを特徴とする請求項２１記載の方法。
【請求項２３】
前記１つ又はそれ以上のリセットパルスのうちの１つは、オーバーリセットパルスを有する、ことを特徴とする請求項２０記載の方法。
【発明の詳細な説明】
【技術分野】
【０００１】
本発明は、表示素子が電位差の利用により第１から第２の表示状態へ変化する双安定ディスプレイと、画像データをディスプレイへ伝送するための装置及び方法とに関する。
【背景技術】
【０００２】
一般に、このような形式のディスプレイ装置は、例えば、モニター、ラップトップ型コンピュータ、パーソナル・デジタル・アシスタント（ＰＤＡ）、携帯電話及び電子手帳、新聞、雑誌などに使用される電気泳動ディスプレイである。
【０００３】
電気泳動ディスプレイは、流体中で荷電粒子を有する電気泳動媒体（電子インク）と、行列で配置された複数の表示素子（画素）と、夫々の画素に結合された第１及び第２の電極と、画像又は他の情報を表示するように、夫々の画素の電極へ電位差を印加し、印加された電位差の値及び継続期間に依存して荷電粒子に電極間の場所を占有させる電圧駆動部とを有する。
【０００４】
上述した形式のディスプレイ装置は、例えば、合衆国マサチューセッツ州ケンブリッジにあるＥインク社により１９９９年４月９日に公開され、「多色サブピクセルを有するフルカラー反射ディスプレイ（Ｆｕｌｌ  Ｃｏｌｏｒ  Ｒｅｆｌｅｃｔｉｖｅ  Ｄｉｓｐｌａｙ  Ｗｉｔｈ  Ｍｕｌｔｉｃｈｒｏｍａｔｉｃ  Ｓｕｂ−Ｐｉｘｅｌｓ）」と題された国際特許出願ＷＯ９９／５３３７３ＷＯより知られる。前記特許出願は、２つの基板を有するディスプレイを開示する。基板のうちの１つは透明であり、他の基板は、行及び列で配置された電極を設けられている。行及び列の電極間の交点は、表示素子、即ち画素に結合されている。表示素子は、薄膜トランジスタ（ＴＦＴ）を介して列電極へ結合されており、ＴＦＴのゲートは、行電極へ結合されている。表示素子と、ＴＦＴトランジスタと、行及び列の電極とから成るこのような配置は、連帯してアクティブマトリクスを形成する。更に、表示素子は、画素電極を有する。行駆動部は、複数の表示素子から成る行を選択し、列駆動部は、列電極及びＴＦＴトランジスタを介して選択された表示素子から成る行へデータ信号を供給する。データ信号は、表示されるべき画像データに対応する。
【０００５】
更に、電気泳動インクは、画素電極と、透明な基板上に設けられた共通電極との間に設けられている。電気泳動インクは、約１０から５０ミクロンの複数のマイクロカプセルを有する。夫々のマイクロカプセルは、流体中に浮かべられた、正に帯電した白色粒子と負に帯電した黒色粒子とを有する。負の電界が共通電極に印加されると、白色粒子は、透明な基板の方向のマイクロカプセルの側に動き、表示素子は可視的となる。同時に、黒色粒子は、外からは見ることができないマイクロカプセルの反対側の画素電極へと動く。負の電界を画素電極へ印加することにより、黒色粒子は、透明な基板の方向のマイクロカプセルの側にある共通電極へと動き、表示素子は暗くなる。電界が取り除かれると、表示素子は、得られた状態のままであり、双安定特性を示す。
【０００６】
ディスプレイ装置の画像のグレースケールは、マイクロカプセル上側のカウンタ電極へと動く粒子の量を制御することによって生じうる。例えば、電界の強さ及び印加時間の積として求められる正又は負の電界のエネルギーは、マイクロカプセルの上側へと動く粒子の量を制御する。
【０００７】
一般的に、電気泳動ディスプレイでのグレースケールは、特定の時間期間に電圧パルスを印加することによって作られる。それらは、画像経歴、滞留時間、温度、湿度、電気泳動ホイル（ｆｏｉｌ）の測方不均一性等によって、極めて影響を及ぼされる。ディスプレイにおいて温度変動の影響を補償するために、電位差の列（本願で波形とも呼ばれている。）は、測定温度に従って調整されるべきである。例えば、より高い温度で必要とされる駆動電圧パルスの継続期間（又は「長さ」）は、十分に一定の電圧レベルが使用される場合には、同じグレースケール遷移に対して、より短くなる。
【０００８】
異なる温度に対して様々な参照テーブル（ＬＵＴ）が、通常、予め決められ、測定されて、表示制御部自体及び外付けのメモリに記憶される。その場合、駆動波形は、ディスプレイ内の測定温度に従って、ＬＵＴを用いて調整される。様々な温度に対する多数の独立なＬＵＴの記憶は、多数のメモリを必要とする。
【０００９】
このようなＬＵＴは、通常、ディスプレイの温度と、グレースケール駆動の間にディスプレイ内の温度変動を補償して、温度とは無関係な再現可能なグレースケールをもたらす必要性とから導き出される。
【００１０】
欠点は、ディスプレイに対して記憶され、アクセスされるべきＬＵＴデータの量である。１つのＬＵＴは、例えば２５℃の温度で、ＲＯＭの８キロバイトを消費しうる。例えば−２０℃から７０℃のような、ディスプレイの温度範囲が考慮されるべきである。これは、９０℃の範囲を意味する。通常、２℃毎に波形を補償する必要がある。それは、９０／２＝４５個のＬＵＴを記憶することを意味する。従って、全部で３６０キロバイトのＲＯＭが必要とされる。そのメモリ量は、通常、制御部内には空いていないので、外付けの（フラッシュ）ＲＯＭが必要とされ、費用を増し、且つ、ＰＣＢ基板のスペースを使用する。
【発明の開示】
【発明が解決しようとする課題】
【００１１】
本発明は、温度補償を必要とするメモリが大幅に低減されるディスプレイを提供することを目的とする。
【００１２】
表示制御部外のメモリ装置の必要性が低減又は削除されるディスプレイを提供することを更なる目的とする。
【課題を解決するための手段】
【００１３】
本発明の更なる有利な実施例は、以下で開示され、独立請求項に記述されている。
【００１４】
本発明では、任意の基準温度、例えば２５℃に対して最適である波形は、他の温度に対しては調整される。スケーリング係数を有する単一のＬＵＴしか、様々な温度に対する多数のＬＵＴに代わって、全ての温度範囲に対して必要とされなくても良く、費用及びデバイススペースを著しく節約することが可能となる。
【００１５】
波形が調整される場合には、例えば４５個のスケーリング係数のテーブルリストが、４５個のＬＵＴに代わって、作られる必要がある。夫々の係数は、約１バイトしかなく、１％から２５５％による調整を可能とする。基本的で、最適な波形を記憶するＲＯＭのおよそ８キロバイト及び４５バイトの単一の付加的なＬＵＴのみが必要とされる。全体で、これは、８×１０２４＋４５、即ち、８キロバイト強を意味する。この（フラッシュ）ＲＯＭの量は、一般に、表示制御部内に空いており、約３ドルの費用及び約３ｃｍ２の基板スペースを節約する（２００３年時点）。
【００１６】
本発明のこれら及び他の態様を、後述する実施例を参照して説明し、明らかとする。
【発明を実施するための最良の形態】
【００１７】
本発明の実施例を添付の図を参照して説明する。図は、略図であって、実寸で描かれているわけではない。更に、全ての図に亘って、同じ参照符号は同じ部品を表わす。
【００１８】
図１は、例えば、数個の表示素子の大きさしか有さない電気泳動ディスプレイ装置１０１の一部の概略断面図である。電気泳動ディスプレイ装置１０１は、ベース基板１０２と、例えばポリエチレンから作られる二つの透明な基板１０３、１０４の間に存在する電子インクを有する電気泳動フィルムとを有する。基板のうちの１つ１０３には、画素電極１０５、１０５’が設けられている。画素電極１０５、１０５’は、透明でなくても良い。他の基板１０４には、透明なカウンタ電極１０６が設けられている。本実施例において、電子インクは、約１０から５０ミクロンの複数のマイクロカプセル１０７を有する。夫々のマイクロカプセル１０７は、流体１１０に浮かべられた、正に帯電された白色の電気泳動粒子１０８及び負に帯電された黒色の電気泳動粒子１０９を有する。正の電界が画素電極１０５に印加されると、白色粒子１０８は、カウンタ電極１０６の方向のマイクロカプセル１０７の側へと動き、表示素子１１８は可視的となる。なお、表示素子１１８は、カウンタ電極１０６と、画素電極１０５と、マイクロカプセル１０７とを有する。同時に、黒色粒子１０９は、外からは見ることができないマイクロカプセル１０７の反対側へと動く。負の電界を画素電極１０５に印加することにより、黒色粒子１０９は、カウンタ電極１０６の方向のマイクロカプセル１０７の側へと動き、表示素子１１８は暗くなる。電界が取り除かれたときには、粒子１０８、１０９は、得られた状態のままであり、ディスプレイは、双安定特性を示し、ほとんど電力を消費しない。
【００１９】
温度センサ１２５は、ディスプレイ装置１０１、中でも、流体１１０とマイクロカプセル１０７の温度を示す温度を測定する。一般に、温度センサ１２５は、例えばフィリップス・セミコンダクタ社が販売するＬＭ７５Ａ型デジタル式温度センサのような、シリコンを基としたセンサであるが、デジタル形式で温度測定値を処理装置２１５（図２参照。）に送るよう変換器を備えた熱伝対又は他の温度検知デバイスであっても良い。
【００２０】
図２は、能動スイッチング素子と、行駆動部２１６と、列駆動部２１０とを設けられた図１のベース基板１０２の上に積層された電気泳動フィルムを有する画像ディスプレイ装置２０１の等価回路図である。望ましくは、カウンタ電極２０６は、カプセルに包まれた電気泳動インクを有するフィルム上に設けられるが、面内電界による動作の場合には、代替的にベース基板上に設けられうる。ディスプレイ装置２０１は、能動スイッチング素子、本実施例では薄膜トランジスタ（ＴＦＴ）２１９によって、駆動される。ディスプレイ装置２０１は、行、即ち選択電極２１７と、列、即ちデータ電極２１１とが交差する領域にある表示素子２１８の行列を有する。行駆動部２１６は、連続して行電極２１７を選択し、一方、列駆動部２１０は、列電極２１１へデータ信号を供給する。最初に、制御部２１５は、温度センサ２２５からの入力を含む入来データ２１３をデータ信号、具体的には、本発明の調整されたパルス列に加工する。カウンタ電極は、制御部２１５の２つの出力部２８５、２８７へ結合されても良い。列駆動部２１０と行駆動部２１６との間の相互の同期化は、駆動ライン２１２を介して行われる。行駆動部２１６からの選択信号は、薄膜トランジスタ２１９を介して画素電極２０５を選択する。なお、薄膜トランジスタ２１９のゲート電極２２０は、行電極２１７へ電気的に接続されており、そのソース電極２２１は、列電極２１１へ電気的に接続されている。列電極２１１に存在するデータ信号は、ＴＦＴを介してドレイン電極へ結合された表示素子の画素電極２０５へと送られる。実施例において、図１のディスプレイ装置は、また、夫々の表示素子２１８の位置で付加的なキャパシタ２２３を有する。本実施例において、付加的なキャパシタ２２３は、一つ又はそれ以上の蓄積キャパシタライン２２４へ接続されている。ＴＦＴの代わりに、例えばダイオード、ＭＩＭ等のような、他のスイッチング素子が使用されても良い。
【００２１】
図３は、本発明に従う実施例を略ブロック図で表す。駆動手段３００は、電位差又はパルスをディスプレイ３０１の表示素子及びメモリ３１４へ印加する制御部３１５を有する。夫々、ディスプレイの温度を測定して、伝送する温度センサ３２５及び変換器３２６も設けられている。
【００２２】
例えばＲＯＭ又はＲＡＭを含むメモリ３１４は、ディスプレイの任意の基準温度においてディスプレイ３０１にとって最適である基準波形のデータを有するＬＵＴ（参照テーブル）を有する。メモリは、別個の外付けの記憶装置として存在しても良いが、代替的には、制御部３１５又はより大きなメモリ若しくは駆動システムの一部を形成しても良い。メモリは、基準波形が制御部からの要求で制御部３１５へ送られるようにプログラムされている。
【００２３】
制御部３１５は、表示されるべき画像に対して、映像処理部又は同様の装置（図示せず。）から、所望の光学状態を示す画像データ３１３を受け取る。制御部３１５は、変換器３２６を用いて温度センサ３２５から温度を読み込み、メモリ３１４内のＬＵＴから基準波形を読み込む。ディスプレイ３０１は、夫々の画素に対してアドレス指定されるので、制御部３１５は、適切なスケーリング係数により読み込んだ温度を補正し、調整された波形を計算し、波形データパルスをディスプレイへ送る。
【００２４】
図４Ａは、スケーリング係数の例となるグラフを示す。図４Ｂは、表形式でスケーリング係数を示す。グラフのｘ軸４３０及び表の第１の列４３１の値は、摂氏温度（℃）である。グラフのｙ軸４３２及び表の第２の列４３３の値は、スケーリング係数である。スケーリング係数は、特定のディスプレイ設計に対して実験的に決定される。点は、測定データである。グラフ上の線は、データに適応する曲線であり、ｙ＝−３Ｅ−０５ｘ３＋０．００４５Ｘ２−０．２４８８ｘ＋４．８８６、Ｒ２＝０．９９９５である。スケーリングは、電位差の列に対して選択されており、これは、２５℃の温度に対して最適である。２５℃に対して最適な基本列は、２０℃に対して１５０％のスケーリング係数により調整され、３０℃に対してはスケーリング係数７０％で調整される。
【００２５】
また、２５℃に対して最適な基本波形は、２０℃に対しては１１０％のスケーリング係数により調整可能であり、３０℃に対してはスケーリング係数９０％で調整可能であることが、例えば、他のアクティブマトリクスディスプレイにおいても実験的に明らかとされている。
【００２６】
このアプローチは、−２０から４０℃の温度範囲で特に効果的であり、この範囲内では、光応答対印加電圧パルス又は電圧曲線は、ほとんど線形である。
【００２７】
図５は、例えば２５℃のディスプレイ温度でディスプレイの画素へデータをアドレス指定するために最適であるよう実験的に決定された電位差の基準列を示す。ｘ軸５３０は、秒で表される時間である。ｙ軸５３２は、ひと目盛りが１５ボルトに等しい電圧である。画素の起動時間５３４での最初のライトグレー状態は、その後の時間ｔ０５３６からｔ’０５３７に＋１５Ｖ、−１５Ｖ、＋１５Ｖ及び−１５Ｖの４つの設定値の予め設定された電位差（又は振動パルス）を印加することによって、時間ｔ４５３５でダークグレー状態へ切り替えられる。夫々の設定値は、例えば２０ｍｓの間印加される。ｔ’０５３７とｔ１５３８との間の時間間隔は、無視できるほどに小さい。その後、リセット電位差は、例えば−１５Ｖの値を有し、時間ｔ１５３８からｔ２５３９に存在する。リセット継続期間（ｔ１５３８からｔ’２５４０までの時間）及びｔ’２５４０からｔ２５３９までの付加的な（オーバー）リセット継続期間は、夫々、例えば１５０ｍｓ及び５０ｍｓである。結果として、粒子１０９は、極端部を占有し、表示素子は、十分に黒い外観を有する。画像の電位差は、時間ｔ３５４１から時間ｔ４５３５に存在し、例えば１５Ｖの電圧及び例えば５０ｍｓの継続期間を有する。その場合、表示素子２１８は、画像を表示するためにダークグレーに見える。
【００２８】
図６は、図４に示したディスプレイの調整のための、本発明に従う例となる調整された駆動信号波形を示す。ディスプレイの測定温度は、２０℃に選ばれる。これは、図４から読み取られる１．５のスケーリング係数に対応する。制御部３１５は、メモリ３１４内のＬＵＴから図５の電位差の基準列を読み込み、図４からの１．５のスケーリング係数により２０℃の測定温度を補正し、図６の調整された列を計算する。
【００２９】
図６において、ｘ軸６３０は、秒で表される時間である。ｙ軸６３２は、ひと目盛りが１５ボルトに等しい電圧である。光学遷移は、図５と同じである。即ち、画素の起動時間６３４での最初のライトグレー状態は、時間ｔ４６３５でダークグレー状態へ切り替えられる。図６において、１．５のスケーリング係数は、時間ｔ０６３６からｔ’０６３７の間の夫々の設定値の期間を、図５の２０ｍｓから３０ｍｓへ増大するよう適用される。ｔ１６３８からｔ’２６４０までの予め設定された電位差の継続期間は、図５の１５０ｍｓから２２５ｍｓへ増大する。ｔ’２６４０からｔ２６３９までの付加的なリセットの継続期間は、５０ｍｓから７５ｍｓへ増大する。図６における時間ｔ３６４１から時間ｔ４６３５までの画像の電位差の継続期間は、また、図５中の値５０ｍｓから７５ｍｓへ増大する。制御部３１５はライトグレーからダークグレーへの光学状態の変化をもたらすよう、図６に示された電子差のパルス列を表示素子へ送る。
【００３０】
上記解決法が調整の基礎として単一のＬＵＴの使用を検討する一方で、温度の極限において、このような温度での調整の基礎として使用されるべき１つ又はそれ以上の更なるＬＵＴを発生させることが必要とされても良いことが明らかに可能である。２又は３のＬＵＴ（４５の代わり）しか必要としないディスプレイは、また、大幅なコスト削減を実現する。
【００３１】
一般に、波形は、ディスプレイを極限光学状態のうちの１つへ至らすリセット電圧パルスと、リセット電圧パルスと共に、ディスプレイを極限光学状態のうちの１つへ至らせるに足る以上のエネルギーを与えるオーバーリセットパルスと、ディスプレイを所望の中間光学状態へ至らせる駆動パルスと、帯電された粒子を現在の状態から開放するには十分であるが、粒子を極限状態のうちの１つから他の極限状態へ動かすには不十分であるエネルギーを与える振動パルスとを有する。
【００３２】
更なる実施例において、駆動波形全体（振動、オーバーリセット、信号、グレースケール駆動）のある部分のみ（オーバーリセット、最後のグレースケール駆動部分）が、温度に最も敏感であることが分かっている。ある実施例では、これらの部分のみが、ＬＵＴにおいて正確に調整される必要がありうる。
【００３３】
本発明は、例えば、タイプライター・モードが存在するような、単一及び複数のウィンドウ・ディスプレイに適用可能である。重視すべきは、上記例において、パルス幅変調（ＰＷＭ）駆動が本発明を表すために使用されていることである。即ち、パルス時間は、夫々の波形で変えられ、一方、電圧振幅は一定に保たれている。本発明は、また、例えば、パルス電圧の振幅が夫々の波形で変えられる電圧調節（ＶＭ）駆動、又はＰＷＭ及びＶＭの組み合わされた駆動に基づいて、他の駆動方式に適用することもできる。本発明は、また、カラー双安定ディスプレイにおいても適用可能であり、電極構造は、例えば、トップ／ボトム電極構造若しくはハニカム構造、又は面内切替及び垂直切替が組み合わされた他の構造に限定されない。
【００３４】
最後に、上記論議は、本発明を説明しているに過ぎず、添付の特許請求の範囲を如何なる特定の実施例又は一群の実施例にも限定するように解釈されるべきではない。例えば、制御部３１５は、本発明に従って実行するための専用の処理装置であっても良く、あるいは、多数の機能のうちの一つのみが本発明に従って実行するために動作する汎用の処理装置であっても良い。処理装置は、一つのプログラム部分、即ち多数のプログラムセグメントを用いて動作しても良く、あるいは、専用又は汎用の集積回路を用いるハードウェア装置であっても良い。用いられるシステムの夫々は、また、別のシステムと協働して使用されても良い。従って、本発明は、その特定の実施例を参照して、特に詳細に説明されているが、特許請求の範囲に記載された本発明の更に広義な精神及び適用範囲から外れることなく、多数の変形及び変更が本発明に対して成されうることは、十分に理解されるべきである。従って、本明細書及び図面は、説明手段として見なされるべきであり、特許請求の範囲の適用範囲を限定するものではない。
【００３５】
特許請求の範囲を解釈する際に、次のことが理解されるべきである：
ａ）  語「有する」は、当該請求項に挙げられたもの以外の他の要素又は作用の存在を認めないわけではない；
ｂ）  語「一つの」は、複数の要素の存在を認めないわけではない；
ｃ）  特許請求の範囲の参照番号はいずれも、説明の目的のために使用されるに過ぎず、それらの適用範囲を限定するものではない；
ｄ）  幾つかの「手段」は、同じ項目又はハードウェア若しくはソフトウェアで実施される構造又は機能によって表わされても良い；
ｅ）開示されている要素の夫々は、ハードウェア部分（例えば、個別電子回路）、ソフトウェア部分（例えば、コンピュータプログラミング）又はそれらの如何なる組合せであっても良い。
【図面の簡単な説明】
【００３６】
【図１】ディスプレイ装置の一部の概略断面図である。
【図２】ディスプレイ装置の一部の回路図である。
【図３】本発明の模範的な実施例のブロック図である。
【図４】Ａ及びＢは、スケーリング係数の例となるテーブルのスケーリング係数対温度（℃）のグラフである。
【図５】本発明に従う参照テーブルからの例となる駆動信号波形を示す。
【図６】本発明に従う例となる調整された駆動信号波形を示す。
【図１】
2007506133.tif 000003
【図２】
2007506133.tif 000004
【図３】
2007506133.tif 000005
【図４Ａ】
2007506133.tif 000006
【図４Ｂ】
2007506133.tif 000007
【図５】
2007506133.tif 000008
【図６】
2007506133.tif 000009
【国際調査報告】
2007506133.tif 000010
2007506133.tif 000011
2007506133.tif 000012